(57)【特許請求の範囲】
【請求項１】
自車両進行方向前方の所定検出エリア内に存在する対象物を検出する対象物検出手段と、
前記対象物検出手段の検出結果に基づいて自車両を自動制動させ、自車両の停止を実現する自動ブレーキ制御を実行する自動ブレーキ制御手段と、
前記自動ブレーキ制御に関連した表示を出力する表示制御手段とを備え、
前記表示制御手段は、前記自動ブレーキ制御手段による前記自動ブレーキ制御が開始されると、前記自動ブレーキ制御手段による前記自動ブレーキ制御が終了した後、前記対象物検出手段の検出結果に依存しない所定タイミングまで、前記表示を継続することを特徴とする運転支援装置。
【請求項２】
前記所定タイミングは、自車両の運転者が所定運転操作を行う時点であることを特徴とする請求項１記載の運転支援装置。
【請求項３】
前記自動ブレーキ制御手段による前記自動ブレーキ制御が終了した以後、自車両の運転者が所定運転操作を行うか否かを判別するドライバ操作判別手段を備え、
前記表示制御手段は、
前記対象物検出手段により検出された前記対象物に自車両が衝突する可能性が所定以上に高くなった場合に、自車両の運転者に向けて前記表示を開始する表示開始手段と、
前記ドライバ操作判別手段により自車両の運転者が前記所定運転操作を行ったと判別された場合に、前記表示を終了する表示終了手段と、
を有することを特徴とする請求項１記載の運転支援装置。
【請求項４】
前記対象物検出手段は、レーダ装置又はカメラを用いて前記所定検出エリアとして自車両から第１所定距離離れた位置から第２所定距離離れた位置までに存在する対象物を検出することを特徴とする請求項１乃至３の何れか一項記載の運転支援装置。
【請求項５】
前記表示は、自車両の運転者に自車両に対するブレーキ操作を促す警報表示であることを特徴とする請求項１乃至４の何れか一項記載の運転支援装置。
【請求項６】
前記自動ブレーキ制御手段は、自車両の速度及び加速度並びに自車両と前記対象物検出手段により検出された前記対象物との相対距離、相対速度、及び相対加速度に基づいて自車両と該対象物との衝突を回避させるための制動が必要であると判定された場合に、前記自動ブレーキ制御として自車両の自動制動を開始する自動ブレーキ開始手段を有することを特徴とする請求項１乃至５の何れか一項記載の運転支援装置。
【請求項７】
自車両前方の所定検出エリア内に存在する対象物を検出する対象物検出手段と、
前記対象物との衝突を回避するために自車両を自動制動させる自動ブレーキ制御を実行する衝突回避制御手段と、
前記自動ブレーキ制御と共に表示を出力する表示制御手段とを備え、
前記表示制御手段は、前記衝突回避制御手段による前記自動ブレーキ制御が終了した後の所定タイミングまで、前記表示を継続し、
前記衝突回避制御手段による前記自動ブレーキ制御が終了した以後、自車両の運転者が所定運転操作を行うか否かを判別するドライバ操作判別手段を備え、
前記表示制御手段は、
前記対象物検出手段により検出された前記対象物に自車両が衝突する可能性が所定以上に高くなった場合に、自車両の運転者に向けて前記表示を開始する表示開始手段と、
前記ドライバ操作判別手段により自車両の運転者が前記所定運転操作を行ったと判別された場合に、前記表示を終了する表示終了手段と、
を有し、
前記衝突回避制御手段による前記自動ブレーキ制御が終了した終了時点で自車両が走行しているか或いは停車しているかを判別する走行／停止判別手段を備え、
前記表示終了手段は、前記走行／停止判別手段により自車両が前記終了時点で停車していると判別されかつ前記ドライバ操作判別手段により自車両の運転者が前記所定運転操作を行ったと判別された場合に、前記表示を終了することを特徴とする、運転支援装置。
【請求項８】
前記表示終了手段は、また、前記走行／停止判別手段により自車両が前記終了時点で走行していると判別された場合に、前記表示を終了することを特徴とする請求項７記載の運転支援装置。
【発明の詳細な説明】
【技術分野】
【０００１】
本発明は、運転支援装置に係り、自車両が自車両前方の所定検出エリア内に存在する対象物と衝突する可能性がある場合に、運転者に向けて警報を行い、かつ、その衝突を回避するための自動運転操作を行う衝突回避制御として自車両を自動制動させる自動ブレーキ制御を行ううえで好適な運転支援装置に関する。
【背景技術】
【０００２】
従来、自車両周辺に存在する対象物を検出して自車両の運転者に向けて警報を行うと共に自車両の自動ブレーキ制御などの衝突回避制御を行う運転支援装置が知られている（例えば、特許文献１参照）。かかる運転支援装置においては、検出された対象物への衝突リスクが第１閾値以上である場合に運転者に向けて警報が発せられ、また、その衝突リスクが第１閾値よりも大きな第２閾値以上である場合に自車両の自動ブレーキ制御などの衝突回避制御が実施される。
【先行技術文献】
【特許文献】
【０００３】
【特許文献１】特開２０１０−０３０５１３号公報
【発明の概要】
【発明が解決しようとする課題】
【０００４】
ところで、上記の如き自動ブレーキ制御などの衝突回避制御は、対象物への衝突リスクが高くなった場合に開始され、その後、対象物への衝突リスクが所定値まで低下した場合に終了されるのが一般的である。また、車両の自動ブレーキ制御が終了された以後は、運転者がブレーキ操作を行わなければ、車両はクリープ現象により走行し始める。更に、車両の自動ブレーキ制御が終了した時点で車両と対象物との距離が極めて小さいと、車載センサがその対象物を検出することができないことが起こり得る。このため、自動ブレーキ制御の終了と同時に警報が終了される構成では、自動ブレーキ制御の終了以後に車両がクリープ走行し始めても、車両と対象物とが接近し過ぎていることが原因となって車載センサがその対象物を検出することができず、運転者へのブレーキ操作を促す警報が行われないことが生じ得る。従って、上記の如き構成では、車両の安全走行が損われるおそれがある。
【０００５】
本発明は、上述の点に鑑みてなされたものであり、自車両と対象物との衝突を回避するための自動ブレーキ制御の終了後にも表示を継続し得るものとすることで車両の走行安全性を向上させることが可能な運転支援装置を提供することを目的とする。
【課題を解決するための手段】
【０００６】
上記の目的は、自車両進行方向前方の所定検出エリア内に存在する対象物を検出する対象物検出手段と、
前記対象物検出手段の検出結果に基づいて自車両を自動制動させる自動ブレーキ制御を実行する自動ブレーキ制御手段と、
前記自動ブレーキ制御に関連した表示を出力する表示制御手段とを備え、
前記表示制御手段は、前記自動ブレーキ制御手段による前記自動ブレーキ制御が開始されると、前記自動ブレーキ制御手段による、自車両の停止を伴う前記自動ブレーキ制御が終了した後、前記対象物検出手段の検出結果に依存しない所定タイミングまで、前記表示を継続することを特徴とする運転支援装置により達成される。
【発明の効果】
【０００７】
本発明によれば、自車両と対象物との衝突を回避する自動ブレーキ制御の終了後にも表示を継続し得るものとすることで車両の走行安全性を向上させることができる。
【図面の簡単な説明】
【０００８】
【図１】本発明の一実施例である運転支援装置の構成図である。
【図２】本実施例の運転支援装置が備える前方センサで対象物を検出可能なエリアを表した図である。
【図３】本実施例の運転支援装置において実行される制御ルーチンの一例のフローチャートである。
【図４】本実施例の運転支援装置においてＰＣＳセンサのセンサゲインを変化させる一手法を説明するための図である。
【発明を実施するための形態】
【０００９】
以下、図面を用いて、本発明に係る運転支援装置の具体的な実施の形態について説明する。
【００１０】
図１は、本発明の一実施例である運転支援装置１０の構成図を示す。また、図２は、本実施例の運転支援装置１０が備える前方センサで対象物を検出可能なエリアを表した図を示す。本実施例の運転支援装置１０は、車両に搭載されており、自車両の前方に存在する対象物（他車両や歩行者、或いは、ガードレールや側壁などの障害物など）を検出して、自車両とその対象物との衝突を回避すべく運転者に対して運転支援を行う装置である。
【００１１】
運転支援装置１０は、マイクロコンピュータを主体に構成されたプリクラッシュ制御ユニット（以下、ＰＣＳ−ＥＣＵと称す）１２を備えている。ＰＣＳ−ＥＣＵ１２は、自車両と対象物との衝突を回避すべく運転者に対して運転支援を行うための各種処理を行う。ＰＣＳ−ＥＣＵ１２には、車速センサ１４、前後加速度センサ１６、前方センサ１８、アクセルペダルセンサ２０、及びブレーキペダルセンサ２２がそれぞれ電気的に接続されている。
【００１２】
車速センサ１４は、自車両の車速に応じた信号を出力するセンサである。前後加速度センサ１６は、自車両の前後加速度に応じた信号を出力するセンサである。車速センサ１４の出力信号及び前後加速度センサ１６の出力信号はそれぞれ、ＰＣＳ−ＥＣＵ１２に供給される。ＰＣＳ−ＥＣＵ１２は、車速センサ１４から供給される出力信号に基づいて自車両の車速を検出すると共に、前後加速度センサ１６から供給される出力信号に基づいて自車両の前後加速度を検出する。
【００１３】
前方センサ１８は、自車両の前部バンパやフロントグリル，車室内のバックミラーステイなどに配設されており、自車両前方に向けて電波やレーザを送信するレーダ装置或いは自車両前方を撮影するカメラなどからなる。尚、レーダ装置はミリ波やレーザを照射するものであればよく、また、カメラはステレオカメラであってもよい。前方センサ１８は、レーダ装置から自車両前方の所定検出エリアに向けてミリ波やレーザを送信しその所定検出エリア内に存在する対象物から反射されるミリ波やレーザを受信して、自車両と対象物との相対距離、相対速度、及び相対加速度に応じた信号を出力するセンサ、又は、カメラで撮影された撮像画像を画像処理することで自車両前方の所定検出エリア内に存在する対象物を抽出して、自車両と対象物との相対距離、相対速度、及び相対加速度に応じた信号を出力するセンサである。
【００１４】
前方センサ１８が対象物を検出可能な自車両前方の所定検出エリアは、図２に示す如く、自車両前端から第１所定距離（例えば１メートル）Ｘ１離れた位置から第２所定距離（例えば２００メートル）Ｘ２離れた位置までの範囲である。前方センサ１８の出力信号は、ＰＣＳ−ＥＣＵ１２に供給される。ＰＣＳ−ＥＣＵ１２は、前方センサ１８から供給される出力信号に基づいて自車両と対象物との相対距離、相対速度、及び相対加速度を検出する。そして、ＰＣＳ−ＥＣＵ１２は、それらの検出したセンサ情報に基づいて自車両が対象物と衝突する可能性を算出する。
【００１５】
アクセルペダルセンサ２０は、自車両の運転者が自車両を加速させる際に操作するアクセルペダルをその運転者が操作するか否かに応じた信号を出力するセンサである。ブレーキペダルセンサ２２は、自車両の運転者が自車両を制動させる際に操作するブレーキペダルをその運転者が操作するか否かに応じた信号を出力するセンサである。アクセルペダルセンサ２０の出力信号及びブレーキペダルセンサ２２の出力信号はそれぞれ、ＰＣＳ−ＥＣＵ１２に供給される。ＰＣＳ−ＥＣＵ１２は、アクセルペダルセンサ２０から供給される出力信号に基づいて自車両の運転者がアクセルペダルを操作するか否かを判別すると共に、ブレーキペダルセンサ２２から供給される出力信号に基づいて自車両の運転者がブレーキペダルを操作するか否かを判別する。
【００１６】
ＰＣＳ−ＥＣＵ１２には、また、それぞれマイクロコンピュータを主体に構成された、メータ制御ユニット（以下、メータＥＣＵと称す）２４、ブザー制御ユニット（以下、ブザーＥＣＵと称す）２６、及びブレーキ制御ユニット（以下、ブレーキＥＣＵと称す）２８が電気的に接続されている。ＰＣＳ−ＥＣＵ１２は、上記した各センサ１４〜１８を用いて検出結果に基づいて算出した自車両と対象物との衝突可能性が所定以上に高くなった場合に、メータＥＣＵ２４、ブザーＥＣＵ２６、及びブレーキＥＣＵ２８に対して駆動指示を行う。
【００１７】
メータＥＣＵ２４には、警報器として自車両の運転者が視認可能な車室内のメータ（例えばコンビネーションメータなど）が電気的に接続されている。メータＥＣＵ２４は、ＰＣＳ−ＥＣＵ１２からの指示に従ってメータ内の表示制御を行うことが可能である。ブザーＥＣＵ２６には、警報器として自車両の運転者が聴くことができる車室内のブザーが電気的に接続されている。ブザーＥＣＵ２６は、ＰＣＳ−ＥＣＵ１２からの指示に従ってブザー吹鳴処理を行うことが可能である。ブレーキＥＣＵ２８には、自車両を制動させるブレーキアクチュエータが電気的に接続されている。ブレーキＥＣＵ２８は、ＰＣＳ−ＥＣＵ１２からの指示に従ってブレーキアクチュエータを駆動させることで自車両を制動させることが可能である。
【００１８】
次に、図３を参照して、本実施例の運転支援装置１０における動作について説明する。図３は、本実施例の運転支援装置１０においてＰＣＳ−ＥＣＵ１２が実行する制御ルーチンの一例のフローチャートを示す。
【００１９】
本実施例において、運転支援装置１０が自車両のイグニションオン後に起動されると、運転支援装置１０の各部が通電される。ＰＣＳ−ＥＣＵ１２は、通電開始後、自車両前方の所定検出エリア内に存在する対象物を検出して、自車両の運転者への運転支援を行う処理を実行する。具体的には、まず、車速センサ１４、前後加速度センサ１６、及び前方センサ１８から供給される出力信号に基づいて、自車両の車速及び前後加速度並びに自車両と対象物との相対距離、相対速度、及び相対加速度のセンサ情報を検出する（ステップ１００）。
【００２０】
ＰＣＳ−ＥＣＵ１２は、上記ステップ１００で検出したセンサ情報に基づいて、自車両が自車両前方の所定検出エリア内に存在する対象物と衝突する可能性を算出する。そして、その算出した衝突可能性が所定以上であるか否かを判別する（ステップ１０２）。尚、この所定は、自車両と対象物との衝突を回避するうえで自車両を制動させる必要があると判定される基準値であり、予め定められている。その結果、例えば自車両前方の所定検出エリア内に対象物が存在せず、或いは、対象物がその所定検出エリア内に存在するが自車両の速度が対象物の速度以下となった場合など、自車両と対象物との衝突可能性が所定未満であると判別した場合は、以後、何ら処理を進めることなく今回の処理を終了する。
【００２１】
一方、ＰＣＳ−ＥＣＵ１２は、自車両と対象物との衝突可能性が所定以上であると判別した場合は、その衝突を回避すべく自車両を制動させる必要があると判定し、次に、自車両の運転者に対する警報を開始する処理を実行する（ステップ１０４）と共に、自車両と対象物との衝突を回避するための自動運転操作を行う衝突回避制御として自車両を自動制動させる自動ブレーキ制御を開始する処理を実行する（ステップ１０６）。具体的には、メータＥＣＵ２４、ブザーＥＣＵ２６、及びブレーキＥＣＵ２８に対して駆動指示を行う。
【００２２】
かかる駆動指示が行われると、メータＥＣＵ２４の指令によりメータ内に所定表示が行われることで運転者に対して視覚によりブレーキ操作を促す警報が実施されると共に、ブザーＥＣＵ２６の指令によりブザー吹鳴が行われることで運転者に対して聴覚によりブレーキ操作を促す警報が実施され、更に、ブレーキＥＣＵ２８の指令によりブレーキアクチュエータが駆動されることで自車両が自動制動される。
【００２３】
上記の如く表示やブザー吹鳴により警報が開始されかつ自車両の自動制動が開始されると、以後、ＰＣＳ−ＥＣＵ１２は、再び、車速センサ１４、前後加速度センサ１６、及び前方センサ１８から供給される出力信号に基づいて、自車両の車速及び前後加速度並びに自車両と対象物との相対距離、相対速度、及び相対加速度のセンサ情報を検出する（ステップ１０８）。
【００２４】
ＰＣＳ−ＥＣＵ１２は、上記ステップ１０８で検出したセンサ情報に基づいて、自車両と対象物との衝突が回避されたか否かを判別する（ステップ１１０）。尚、この衝突回避の判別は、例えば、車速センサ１４による自車速に基づいて自車両が停車したか否か、前方センサ１８による相対速度に基づいて自車両の車速が対象物の速度以下となったか否か、又は、検出していた対象物が所定検出エリア外に出たか否か（例えば、自車両の運転者による操舵操作によって自車両が対象物への衝突を回避したか否かなど）に基づいて行われる。その結果、自車両が停車していない、自車両の車速が対象物の速度を超えている、又は対象物が所定検出エリア内に存在しているなど、未だ自車両と対象物との衝突が回避されていないと判別した場合は、上記ステップ１０６以降の処理を実行する。
【００２５】
一方、ＰＣＳ−ＥＣＵ１２は、自車両が停車している、自車両の車速が対象物の速度以下である、又は対象物が所定検出エリア内に存在していないなど、自車両と対象物との衝突が回避されたと判別した場合は、ブレーキアクチュエータによる自車両の自動制動を解除する（ステップ１１２）。具体的には、ブレーキＥＣＵ２８に対して駆動停止指示を行う。かかる駆動停止指示が行われると、ブレーキＥＣＵ２８の停止指令によりブレーキアクチュエータが駆動停止されることで自車両の自動制動が解除される。車両の自動制動が解除されると、以後、車両は、慣性により又はクリープ現象により走行することが可能となり、また、運転者の運転操作に従って走行することが可能となる。
【００２６】
ＰＣＳ−ＥＣＵ１２は、自車両の自動制動が解除された時点で自車両が停車しているか否かを判別する（ステップ１１４）。その結果、自車両が停車していると判別した場合は、次に、アクセルペダルセンサ２０からの出力信号に基づいて自車両の運転者がアクセル操作を行った又は行っているか否かを判別すると共に、ブレーキペダルセンサ２２からの出力信号に基づいて自車両の運転者がブレーキ操作を行った又は行っているか否かを判別する（ステップ１１６）。その結果、自車両の自動制動が解除されてから運転者がアクセル操作もブレーキ操作も行っていないと判別した場合（ステップ１１８の否定判定時）は、再び上記ステップ１１６以降の処理を実行する。
【００２７】
一方、ＰＣＳ−ＥＣＵ１２は、自車両の自動制動が解除されてから運転者がアクセル操作若しくはブレーキ操作を行った又はその自動制動が解除された時点で運転者がアクセル操作若しくはブレーキ操作を行っていたと判別した場合（ステップ１１８の肯定判定時）は、運転者の意図で自車両の走行が制御されると判断して、その運転者に対する警報を終了する処理を実行する（ステップ１２０）。具体的には、メータＥＣＵ２４及びブザーＥＣＵ２６に対して駆動停止指示を行う。かかる駆動停止指示が行われると、メータＥＣＵ２４の停止指令によりメータ内の所定表示が停止されることで運転者に対する視覚刺激による警報が終了されると共に、ブザーＥＣＵ２６の停止指令によりブザー吹鳴が停止されることで運転者に対する聴覚刺激による警報が終了される。
【００２８】
このように、本実施例の運転支援装置１０においては、前方センサ１８を用いてその前方センサ１８が対象物を検出可能な自車両前方の所定検出エリア内に存在する対象物を検出して、自車両がその対象物と衝突する可能性が所定以上に高くなった場合に、自車両の運転者に対する表示やブザーによる警報を実施すると共に、ブレーキアクチュエータによる自車両の自動制動を実施することができる。
【００２９】
運転者に対する警報が実施されると、運転者は、その警報により対象物との衝突を回避すべく自車両のブレーキ操作や操舵操作を促される。また、自車両の自動制動が実施されると、自車両と対象物との衝突による衝撃が軽減される。従って、本実施例によれば、自車両が対象物と衝突可能性が高くなったときに、運転支援装置１０を用いてその衝突を回避すべく運転者に対する運転支援を行うことができる。
【００３０】
また、本実施例の運転支援装置１０においては、自車両と対象物との衝突を回避すべく警報や自動制動による運転支援が開始された後、その衝突が回避されたと判別された場合に、以後の自動制動の解除タイミングと警報の終了タイミングとを互いに異ならせることができる。具体的には、自車両と対象物との衝突が回避されたと判別された場合に、直ちに自車両の自動制動を解除すると共に、その衝突回避以後（すなわち自動制動の解除以後）、自車両の運転者がアクセル操作又はブレーキ操作を行った際に警報を終了することができる。
【００３１】
かかる構成によれば、自車両と対象物との衝突が回避された場合に、速やかに自車両の自動制動を解除する一方、その後（すなわち、自動制動の解除後）、自車両の運転者がアクセル操作又はブレーキ操作を行うタイミングまで警報を継続しつつ、そのアクセル操作又はブレーキ操作が行われたタイミングで警報を終了することができる。すなわち、自車両と対象物との衝突が回避された以後、自車両の自動制動が解除されても、自車両の運転者に対する警報をアクセル操作又はブレーキ操作が行われるタイミングまで継続することができる。
【００３２】
このため、本実施例によれば、自車両の自動制動が解除された後に自車両がクリープ現象により走行し始めた以後も、自車両の運転者に対して警報を継続実施することによって、運転者へのブレーキ操作を行うべきことの注意喚起を継続することができる。従って、本実施例の運転支援装置１０によれば、例えば自動制動と警報とが同時に解除される構成に比べて、自車両の自動制動の解除後、運転者が警報を聴いてブレーキ操作を行うことが促進されて自車両が制動され易くなるので、自車両がクリープ現象で、自車両前方に前方センサ１８が検出できない所定検出エリア外の対象物（例えば、自車両前端から第１所定距離Ｘ１未満に位置する対象物）と接触するのを予防することができる。これにより、自車両の自動制動の解除後にも警報を継続し得るものとすることで、運転者が道路上で自車両を走行させるうえでの走行安全性を向上させることができる。
【００３３】
尚、本実施例において、自車両と対象物との衝突が回避された以後における自動制動の解除タイミングと警報の終了タイミングとが互いに異なるのは、自動制動が解除された時点で自車両が停車している場合に限られる。すなわち、自動制動が解除された時点で自車両が走行している場合は、直ちに自車両の運転者に対するメータ表示やブザー吹鳴による警報が終了される。
【００３４】
自車両と対象物との衝突が回避された際に自車両の自動制動が解除されても、その解除時点で自車両が走行し続けている場合は、自車両が制動されることが最善の車両操作とは限らず、自車両が操舵されることの方が車両の安全走行上適切なことがある。例えば、図４に示す如く、自車両の前方に障害物が存在しかつ自車両の後方に後続車両が追従している場合には、自車両が障害物との衝突を回避できた際に自車両が制動により急停車されると、自車両が後続車両から追突される可能性が高くなってしまう。このため、自車両と対象物との衝突が回避後、運転者に対してブレーキ操作を促すための警報を継続して行うことは適切でない。
【００３５】
これに対して、本実施例においては、上記の如く、自車両と対象物との衝突回避により自車両の自動制動が解除された時点で自車両が走行している場合は、自車両の運転者のアクセル操作やブレーキ操作の有無に関係なく、直ちに自車両の運転者に対するメータ表示やブザー吹鳴による警報が終了される。このため、自車両の自動制動が解除された時点で自車両が走行している場合は、以後、運転者に対して警報によるブレーキ操作の促進がなされないので、警報継続により運転者の運転操作判断を誤らせることすなわち運転者にブレーキ操作させることを予防することができると共に、不必要な警報を抑制することができる。従って、本実施例によれば、自動制動の解除時点での車両状況に合わせて適切にかつ木目細かく警報制御を行うことで、運転者が道路上で自車両を走行させるうえでの走行安全性を確保することができる。
【００３６】
尚、上記の実施例においては、ＰＣＳ−ＥＣＵ１２が自車両前方の所定検出エリア内に存在する対象物を検出することが特許請求の範囲に記載した「対象物検出手段」に、メータ及びブザーが特許請求の範囲に記載した「警報手段」に、運転者によるアクセル操作又はブレーキ操作が特許請求の範囲に記載した「所定運転操作」に、ＰＣＳ−ＥＣＵ１２が図３に示すルーチン中ステップ１０４の処理を実行することが特許請求の範囲に記載した「警報制御手段」及び「警報開始手段」に、ＰＣＳ−ＥＣＵ１２がステップ１０６の処理を実行することが特許請求の範囲に記載した「衝突回避制御手段」及び「自動ブレーキ開始手段」に、ＰＣＳ−ＥＣＵ１２がステップ１１２の処理を実行することが特許請求の範囲に記載した「衝突回避制御手段」及び「自動ブレーキ解除手段」に、ＰＣＳ−ＥＣＵ１２がステップ１１４の処理を実行することが特許請求の範囲に記載した「走行／停止判別手段」に、ＰＣＳ−ＥＣＵ１２がステップ１１８の処理を実行することが特許請求の範囲に記載した「ドライバ操作判別手段」に、ＰＣＳ−ＥＣＵ１２がステップ１２０の処理を実行することが特許請求の範囲に記載した「警報制御手段」及び「警報終了手段」に、それぞれ相当している。
【００３７】
ところで、上記の実施例においては、自車両が自車両前方の所定検出エリア内に存在する対象物と衝突する可能性が所定以上に高くなったか否かの判別を、自車両の車速及び前後加速度並びに自車両と対象物との相対距離、相対速度、及び相対加速度のセンサ情報に基づいて行うこととしているが、かかるセンサ情報に基づいて自車両と対象物とが衝突するまでの衝突回避余裕幅や自車両と対象物とが同一車線上に位置する確率などを算出したうえで、その算出したパラメータを統合して上記の衝突可能性が所定以上に高くなったか否かを判別することとしてもよい。
【００３８】
また、上記の実施例においては、自車両が対象物と衝突する可能性が所定以上に高くなった場合に行われる警報として、メータ表示による警報表示及びブザー吹鳴による警報吹鳴の双方が行われるが、何れか一方の警報のみが行われるものとしてもよい。
【００３９】
また、上記の実施例においては、自車両と対象物との衝突が回避されたと判別するのに、自車両が停車したこと、自車両の車速が対象物の速度以下となったこと、又は、検出していた対象物が所定検出エリア外に出たことを条件としているが、それら３つの条件のうちの何れかだけを条件としてもよい。
【００４０】
また、上記の実施例においては、自車両と対象物との衝突が回避された以後すなわち自動制動が解除された以後に警報を終了するのに、自車両の運転者がアクセル操作又はブレーキ操作を行うことを条件としているが、自車両の運転者がブレーキ操作を行うことだけを条件としてもよいし、また、自車両の運転者がアクセル操作を行うことだけを条件としてもよい。また、その警報を終了するのに、自車両の運転者が自車両を操舵させる操舵操作を行うことを条件としてもよい。
【００４１】
また、上記の実施例においては、自車両が対象物と衝突する可能性が所定以上に高くなった場合に、自車両の運転者に対する警報を開始すると共に、同時に自車両と対象物との衝突を回避すべく自車両の自動制動を開始することとしているが、自車両が対象物と衝突する可能性について警報を開始する条件と自動制動を開始する条件とを異ならせることとしてもよい。具体的には、警報を開始した後に自動制動を開始するように条件設定することとしてもよい。
【００４２】
更に、上記の実施例は、自車両と対象物との衝突可能性が所定以上であると判別した場合に、その衝突を回避すべく自車両を制動させる必要があると判定し、自車両と対象物との衝突を回避するための自動運転操作を行う衝突回避制御として自車両を自動制動させる自動ブレーキ制御を行うものである。しかし、自車両と対象物との衝突可能性が所定以上であると判別した場合、自車両の操舵により自車両と対象物との衝突を回避できると判定したときは、衝突回避制御として自車両を自動操舵させる自動操舵制御を行うこととしてもよい。
【符号の説明】
【００４３】
１０  運転支援装置
１２  ＰＣＳ−ＥＣＵ
１４  車速センサ
１６  前後加速度センサ
１８  前方センサ
２０  アクセルペダルセンサ
２２  ブレーキペダルセンサ
２４  メータＥＣＵ
２６  ブザーＥＣＵ
２８  ブレーキＥＣＵ
【図１】
0005896062.tif 000002
【図２】
0005896062.tif 000003
【図３】
0005896062.tif 000004
【図４】
0005896062.tif 000005